(57)【要約】【課題】接着剤で固定部材に固定することなく、省スペースでフレキシブル基板を固定することができる構造を提供する。【解決手段】フレキシブル基板１２の固定部２４を固定筒２に固定するための固定構造３０は、固定筒２には、帯状の凹部本体部３６、及び、凹部本体部３６から側方に突出する凹部突出部３８を有する凹部３４と、凹部３４の一部を覆うように凹部３４の側部から突出する押え部４２とが形成されており、フレキシブル基板１２の固定部２４には、側方に突出する突出部を有する裏打ち材が取り付けられており、裏打ち材の突出部が凹部３４の凹部突出部３６に収容されており、フレキシブル基板１２及び裏打ち材の一部が押え部４２に覆われた状態で凹部本体部３６に配置されている。【選択図】図３Ａ
2020187217.tif 000002
【特許請求の範囲】
【請求項１】
帯状の基板本体部を含むフレキシブル基板の一部を固定部材に固定するための固定構造であって、
前記固定部材には、帯状の凹部本体部、及び、前記凹部本体部から側方に突出する凹部突出部を有する凹部と、前記凹部の少なくとも一部を覆うように当該凹部の側部から突出する押え部と、が形成されており、
前記フレキシブル基板の前記基板本体部の一部には、側方に突出する突出部を有する裏打ち材が取り付けられており、
前記裏打ち材の前記突出部が前記凹部の前記凹部突出部に収容されており、前記フレキシブル基板及び前記裏打ち材の少なくとも一部が前記押え部に覆われた状態で前記凹部本体部に配置されている、ことを特徴とするフレキシブル基板の固定構造。
【請求項２】
前記凹部本体部の底面の一部に外方に向かって隆起する隆起部が形成されており、
前記隆起部は、前記押え部が前記凹部突出部と前記隆起部との間に位置するように配置されている、
請求項１に記載のフレキシブル基板の固定構造。
【請求項３】
前記凹部本体部は一端が終端するとともに、他端が開放されており、
前記フレキシブル基板の前記基板本体部は折り返された状態で、折り返し部が前記一端側に位置した状態で前記凹部本体部に配置されている、
請求項１又は２に記載のフレキシブル基板の固定構造。
【請求項４】
前記フレキシブル基板には、前記裏打ち材の突出部と同形状の基板突出部が形成されており、前記基板突出部は前記裏打ち材の突出部と重ね合わされている、
請求項１〜３の何れか１項に記載のフレキシブル基板の固定構造。
【請求項５】
レンズ鏡筒であって、
固定部材と、
前記固定部材に対して光軸方向に移動可能な可動部材と、
前記可動部材に連結されたフレキシブル基板と、を備え、
前記フレキシブル基板の一部が、請求項１〜４の何れか１項に記載の固定構造により前記固定部材に固定されている、レンズ鏡筒。
【発明の詳細な説明】
【技術分野】
【０００１】
本発明は、フレキシブル基板の固定構造、及び、この固定構造によりフレキシブル基板が固定されたレンズ鏡筒に関する。
【背景技術】
【０００２】
レンズ鏡筒では、ズーミング操作に伴って絞り機構や手振れ補正機構が光軸方向に移動する。このため、絞り機構や手振れ補正機構に接続されるフレキシブル基板は、撓み（余長）を設けた状態でレンズ鏡筒内に配置されている。そして、このようなフレキシブル基板が予期せぬ動き方をして作動不良を起こさないように、フレキシブル基板の一部を固定筒などの移動しない固定部材に接着剤などにより固定をすることが行われている。
【０００３】
また、特許文献１には、フレキシブル基板を固定する構造として、ジグザグの溝が形成されたガイド部材を固定部材に取り付けておき、このガイド部材のジグザグの溝にフレキシブルケーブルを挟み込むことにより、フレキシブル基板を固定する構造が開示されている。
【先行技術文献】
【特許文献】
【０００４】
【特許文献１】特開２０１２−１４８６９号公報
【発明の概要】
【発明が解決しようとする課題】
【０００５】
しかしながら、フレキシブル基板を接着剤で固定部材に固定してしまうと、修理時などにフレキシブル基板から接着剤を取り外すのに手間がかかるとともに、取り外しの際にフレキシブル基板に損傷が生じるおそれがあり、フレキシブル基板を新規部品へと取り換える必要があり、コスト高になってしまう。
【０００６】
このため、例えば、特許文献１に記載されているようなフレキシブル基板の固定構造を適用することも考えられる。しかしながら、特許文献１に記載された発明は、遊技機における構成であり、省スペース性を考慮されていない。このため、特許文献１に記載の固定構造をレンズ鏡筒に適用しようとするとレンズ鏡筒が大きくなってしまい、特許文献１の固定構造をレンズ鏡筒に適用するのは現実的ではない。
【０００７】
本発明は、上記の課題に鑑みなされたものであり、接着剤で固定部材に固定することなく、省スペースでフレキシブル基板を固定することができる構造を提供することを目的としている。
【課題を解決するための手段】
【０００８】
本発明の固定構造は、帯状の基板本体部を含むフレキシブル基板の一部を固定部材に固定するための固定構造であって、固定部材には、帯状の凹部本体部、及び、凹部本体部から側方に突出する凹部突出部を有する凹部と、凹部の少なくとも一部を覆うように当該凹部の側部から突出する押え部とが形成されており、フレキシブル基板の基板本体部の一部には、側方に突出する突出部を有する裏打ち材が取り付けられており、裏打ち材の突出部が凹部の凹部突出部に収容されており、フレキシブル基板及び裏打ち材の少なくとも一部が押え部に覆われた状態で凹部本体部に配置されている、ことを特徴とする。
【０００９】
上記構成の本発明によれば、押え部によりフレキシブル基板及び裏打ち材の少なくとも一部が外方から覆われているため、フレキシブル基板に凹部から離脱する方向に向かう力が作用したとしても、裏打ち材及び基板本体部の一部が凹部内に保持され、また、裏打ち材の突出部が凹部の凹部突出部に収容されているため、フレキシブル基板に沿う方向に引張力が作用しても、フレキシブル基板が凹部内に保持される。さらに、本発明によれば、裏打ち材をフレキシブル基板に取り付け、この裏打ち材により固定部材に形成した凹部に固定する構成であるため、フレキシブル基板を固定部材に接着剤で直接固定することなく、省スペースでフレキシブル基板を固定することができる。
【発明の効果】
【００１０】
本発明によれば、接着剤を用いることなく、省スペースでフレキシブル基板を固定することができる構造が提供される。
【図面の簡単な説明】
【００１１】
【図１Ａ】本発明の一実施形態による望遠状態のレンズ鏡筒を示す光軸に沿った断面図である。
【図１Ｂ】図１Ａに示すレンズ鏡筒のフレキシブル基板の固定構造を拡大して示す断面図である。
【図２Ａ】本発明の一実施形態による広角状態のレンズ鏡筒を示す光軸に沿った断面図である。
【図２Ｂ】図２Ａに示すレンズ鏡筒のフレキシブル基板の固定構造を拡大して示す断面図である。
【図３Ａ】図１Ａ及び図２Ａに示すレンズ鏡筒におけるフレキシブル基板を固定筒に固定するための固定構造を示す斜視図である。
【図３Ｂ】図１Ａ及び図２Ａに示すレンズ鏡筒におけるフレキシブル基板を固定筒に固定するための固定構造を示す光軸に沿った断面図である。
【図４Ａ】はフレキシブル基板を取り外した状態の固定構造を示す斜視図である。
【図４Ｂ】はフレキシブル基板を取り外した状態の固定構造を示す光軸に沿った断面図である。
【図５Ａ】図１Ａ及び図２Ａに示すレンズ鏡筒におけるフレキシブル基板の固定部の周囲を示す斜視図である。
【図５Ｂ】図１Ａ及び図２Ａに示すレンズ鏡筒におけるフレキシブル基板の固定部の周囲を示す分解斜視図である。
【図６Ａ】図１Ａ及び図２Ａに示すレンズ鏡筒におけるフレキシブル基板を固定筒に固定する固定構造を形成する方法を説明するための斜視図（その１）である。
【図６Ｂ】図１Ａ及び図２Ａに示すレンズ鏡筒におけるフレキシブル基板を固定筒に固定する固定構造を形成する方法を説明するための斜視図（その２）である。
【図７Ａ】フレキシブル基板の突出部を省略した第２実施形態によるフレキシブル基板の固定部の周囲を示す斜視図である。
【図７Ｂ】フレキシブル基板の突出部を省略した第２実施形態によるフレキシブル基板の固定部の周囲を示す分解斜視図である。
【発明を実施するための形態】
【００１２】
以下、本発明のフレキシブル基板の固定構造、及び、レンズ鏡筒の一実施形態について、図面を参照しながら詳細に説明する。なお、以下の説明において、光軸方向の被写体側を前方といい、光軸方向の結像側を後方という。
【００１３】
図１Ａ及び図２Ａは、本発明の一実施形態によるレンズ鏡筒を示す光軸に沿った断面図であり、図１Ａは望遠状態を示し、図２Ａは広角状態を示す。また、図１Ｂ及び図２Ｂは、それぞれ、図１Ａ及び図２Ａに示すレンズ鏡筒のフレキシブル基板の固定構造を拡大して示す断面図である。図１Ａ及び図２Ａに示すように、本実施形態のレンズ鏡筒１は、カメラ本体に固定される固定筒（固定部材）２と、固定筒２の半径方向内側に配置されたカム筒４と、カム筒４の半径方向内側に配置された摺動筒６と、を備える。カム筒４は固定筒２に対して光軸方向に移動可能であるとともに、光軸を中心として回動可能に設けられている。摺動筒６は固定筒２に対して回動が規制された状態で、光軸方向に移動可能に設けられている。固定筒２に対してカム筒４が回動されることにより、カム筒４が光軸方向に移動するとともに、摺動筒６が光軸方向に移動する。
【００１４】
また、レンズ鏡筒１は、絞り機構（可動部材）８と、回路基板１０と、絞り機構８と回路基板１０とを結ぶフレキシブル基板１２とを備える。
絞り機構８は摺動筒６内に搭載されている。絞り機構８は、レンズ８Ａの前方において開口径を変更することにより、レンズ８Ａの入射光の量を調整する装置である。
【００１５】
回路基板１０は固定筒２の後部に設けられている。回路基板１０には例えばＣＰＵなどの制御部が形成されており、制御部は、光量やシャッタースピードに基づき、適切な絞り値を算出する。制御部は算出された絞り値に応じた駆動信号をフレキシブル基板１２を介して絞り機構８に送信する。絞り機構８は制御部から送信された駆動信号に応じて開口径を変更して入射光の量を調整する。
【００１６】
フレキシブル基板１２は、絞り機構８に接続される第１の接続部１８と、固定筒２に固定される固定部２４と、回路基板１０に接続される第２の接続部２８と、第１の接続部１８と固定部２４の間を結ぶ余長部２０と、第２の接続部２８と固定部２４の間を結ぶ連結部２６と、を備える。
【００１７】
第１の接続部１８は絞り機構８から後方に延びる支持部材８Ｂに沿うように取り付けられており、第１の接続部１８の先端は絞り機構８を構成する回路基板に接続されている。第１の接続部１８は回路基板に接続された部分から後方に向かって延びるように設けられている。
【００１８】
余長部２０は、第１の接続部１８から後方に延びるフレキシブル基板１２が、前方に向かうように円弧状に半径方向外方に折り返されて構成されている。余長部２０は撓んだ状態となっている。図２Ａに示す状態から図２Ｂに示す状態となるように、絞り機構８が摺動筒６ともに光軸方向前方に移動すると、余長部２０は、絞り機構８の移動に合わせて折り返された部分の位置が前方に移動するように変形する。また、逆に、図２Ｂに示す状態から図２Ａに示す状態となるように、絞り機構８が摺動筒６ともに光軸方向後方に移動すると、余長部２０は、絞り機構８の移動に合わせて折り返された部分の位置が後方に移動するように変形する。これにより、摺動筒６はフレキシブル基板１２により移動を妨げられることなく、移動することができる。
【００１９】
固定部２４は、光軸方向前方に向かって延びるフレキシブル基板１２が、光軸方向後方に向かって半径方向外方に折り返され、重ね合わされて構成されている。固定部２４は固定構造３０により固定筒２の後端部に固定されている。
【００２０】
第２の接続部２８は、端部が回路基板１０に設けられた接続端子１０Ａに接続されており、半径方向に延びている。連結部２６はフレキシブル基板１２が折り曲げられて構成されており、固定部２４と第２の接続部２８とを連結している。絞り機構８が摺動筒６とともに光軸方向に移動したとしても、固定部２４及び第２の接続部２８の位置は移動せず、連結部２６は変形することはない。フレキシブル基板１２の少なくとも余長部２０と、固定部２４と、連結部２６とは一定幅の帯状に形成されており、基板本体部２７を構成している。
【００２１】
次に、フレキシブル基板１２の固定部２４を固定筒２に固定するための固定構造３０について説明する。
図３Ａ及び図３Ｂは、図１Ａ及び図２Ａに示すレンズ鏡筒におけるフレキシブル基板を固定筒に固定するための固定構造を示し、図３Ａは斜視図、図３Ｂは光軸に沿った断面図である。また、図４Ａ及び図４Ｂはフレキシブル基板を取り外した状態の固定構造を示し、図４Ａは斜視図であり、図４Ｂは光軸に沿った断面図である。
【００２２】
図３Ａ、図３Ｂ、図４Ａ及び図４Ｂに示すように、固定筒２の後端部には、後方の縁から光軸方向に延びる切欠部３２が形成されており、切欠部３２に連続して光軸方向に前方に延びる凹部３４が形成されている。切欠部３２の幅は、フレキシブル基板１２の基板本体部２７の幅よりも大きくなっている。
【００２３】
凹部３４は固定筒２の外周面に対して半径方向内方に凹むように形成されており、光軸方向に延びる凹部本体部３６と、凹部本体部３６から側方に突出する一対の凹部突出部３８と、を備える。凹部本体部３６は、一定の幅で帯状に光軸方向に延びるように形成されており、光軸方向の後方が切欠部３４に開放され、光軸方向の前端は固定筒２の中間部で終端している。凹部本体部３６の幅は、フレキシブル基板１２の基板本体部２７の幅よりもわずかに大きくなっている。各凹部突出部３８は半径方向外方から見て矩形状になっている。
【００２４】
凹部本体部３６の底部の前端部には、前方に向かって浅くなるように傾斜した隆起部４０が形成されている。凹部本体部３６及び凹部突出部３８の底面の隆起部４０以外の部分は、一定の深さで平坦に形成されている。したがって、隆起部４０は外方に向かって隆起している。なお、ここでいう、「外方に向かう」とは凹部３４の内側に向かうこと（すなわち、フレキシブル基板１２が配置される側に向かうこと）を意味する。隆起部４０の形状としては例えばＲ形状などとすることができる。
【００２５】
また、凹部突出部３８と隆起部４０との間には、凹部本体部３６側の両側壁の上端から周方向に延びる一対の押え部４２が形成されている。一対の押え部４２の先端部は離間しており、先端部の間には隙間が形成されている。また、押え部４２と凹部本体部３６の底面との間には隙間が形成されている。本実施形態では、押え部４２を、凹部本体部３６の中間部のみを覆うように形成しているが、隆起部４０側の領域も覆うように構成してもよい。
【００２６】
図５Ａ及び図５Ｂは、図１Ａ及び図２Ａに示すレンズ鏡筒におけるフレキシブル基板の固定部の周囲を示し、図５Ａは斜視図、図５Ｂは分解斜視図である。図５Ａ及び図５Ｂに示すように、固定部２４は、余長部２０から連続する第１の固定部２４Ａと、連結部２６から連続する第２の固定部２４Ｂと、第１の固定部２４Ａと第２の固定部２４Ｂとの間を結ぶ折り返し部２４Ｃと、により構成されている。第１の固定部２４Ａの第２の固定部２４Ｂと反対側の面には裏打ち材４４が取り付けられている。第１の固定部２４Ａには、側方に突出する一対の基板突出部２４Ａ１が形成されている。各基板突出部２４Ａ１は裏打ち材４４の突出部４４Ｂと同形状であり、裏打ち材４４の突出部４４Ｂに重ね合わされている。
【００２７】
裏打ち材４４は、例えばフレキシブル基板１２を構成する樹脂と同じポリイミドなどの樹脂からなる板材である。裏打ち材４４は、矩形状の本体部４４Ａと、本体部４４Ａの両側から側方に突出する一対の突出部４４Ｂと、を有する。裏打ち材４４の本体部４４Ａの幅は、第１の固定部２４Ａの幅と等しい。突出部４４Ｂは矩形状に形成されている。
【００２８】
なお、裏打ち材４４は、基板材からフレキシブル基板１２を切り出す前に、予め第１の固定部２４Ａを含む領域に樹脂材を接着剤などにより基板材に取り付けておき、基板材とともに樹脂材をフレキシブル基板１２の形状に切断することにより形成することができる。
【００２９】
図３Ａ及び図３Ｂに示すように、固定構造３０は、裏打ち材４４が取り付けられた状態のフレキシブル基板１２の固定部２４が凹部３４内に配置され、裏打ち材４４の一対の突出部４４Ｂ及び第１の固定部２４Ａの一対の基板突出部２４Ａ１が凹部３４の凹部突出部３８内に位置し、固定部２４の半径方向外方から押え部４２が固定部２４を覆うことにより構成されている。この際、裏打ち材４４の本体部４４Ａの光軸方向前端部及びフレキシブル基板１２の折り返し部２４Ｃは、隆起部４０まで到達している。
【００３０】
固定構造３０によれば、押え部材４２により固定部２４が半径方向外方から覆われているため、フレキシブル基板１２の余長部２０や連結部２６に半径方向外方に向かう力が作用したとしても、固定部２４は凹部３４内に保持される。また、裏打ち材４４の一対の突出部４４Ｂが、それぞれ凹部突出部３８内に位置しているため、余長部２０や連結部２６に引張力が作用したとしても、固定部２４が凹部３４内に保持される。さらに、裏打ち材４４の光軸方向の前端部が隆起部４０により半径方向外方に押し上げられ、裏打ち材４４の中間部が押え部材４２により半径方向外方から押えられているため、裏打ち材４４の突出部４４Ｂが浮き上がり、凹部突出部３８から離脱することが防止される。
【００３１】
図６Ａ及び図６Ｂは、図１Ａ及び図２Ａに示すレンズ鏡筒におけるフレキシブル基板を固定筒に固定する固定構造を形成する方法を説明するための斜視図である。
固定構造を形成するためには、まず、図６Ａに示すように、第２の固定部２４Ｂが第１の固定部２４Ａの半径方向外方に位置するようにフレキシブル基板１２を折り返し部２４Ｃで折り曲げる。第１の固定部２４Ａと第２の固定部２４Ｂとが重ねた状態で固定部２４を後方側から固定筒２の凹部３４内に配置する。そして、図６Ａに矢印で示すように、裏打ち材４４の突出部４４Ｂの側を持ち上げた状態で、固定部２４を凹部３４の底面に沿って光軸方向前方に移動し、折り返し部２４Ｃを凹部３４の底面と押え部４２との間に挿入する。そして、折り返し部２４Ｃが凹部３４の底面の隆起部４０上に位置するまで、固定部２４を凹部３４内に挿入する。次に、図６Ｂに示すように、裏打ち材４４の突出部４４Ｂの側を持ち上げるのをやめ、裏打ち材４４の一対の突出部４４Ｂを凹部突出部３８内に配置する。これにより固定構造３０が形成される。なお、フレキシブル基板１２を取り外す場合には逆の工程を行えばよく、すなわち、裏打ち材４４の突出部４４Ｂ側の部分を持ち上げて凹部突出部３８から離脱させて、固定部２４を光軸方向後方に引き抜けばよい。
【００３２】
本実施形態によれば、以下の効果が奏される。
本実施形態によれば、押え部４２によりフレキシブル基板１２及び裏打ち材４４の一部が半径方向外方から覆われているため、フレキシブル基板１２に凹部３４から離脱する方向に向かう力が作用したとしても、裏打ち材４４及び固定部２４が凹部３４内に保持され、また、裏打ち材４４の突出部４４Ａが凹部３４の凹部突出部３８に収容されているため、フレキシブル基板１２に沿う方向に引張力が作用しても、フレキシブル基板１２が凹部３４内に保持される。さらに、本実施形態によれば、裏打ち材４４をフレキシブル基板１２に取り付け、この裏打ち材４４を凹部３４に固定する構成であるため、フレキシブル基板１２を固定筒２に接着剤で直接固定することなく、省スペースでフレキシブル基板１２を固定することができる。
【００３３】
また、本実施形態では、凹部本体部３６の底面の一部に外方に向かって隆起する隆起部４０が形成されており、隆起部４０は、押え部４２が凹部突出部３８と隆起部４０との間に位置するように配置されている。これにより、裏打ち材４４の端部が隆起部４０により持ち上げられ、中間部が押え部４２により覆われることにより、突出部４４Ｂには押し下げるような力が作用し、裏打ち材４４の突出部４４Ａが凹部突出部３８から外方に離脱するのを防止できる。
【００３４】
また、本実施形態では、凹部本体部３６は一端が終端するとともに、他端が開放されており、フレキシブル基板１２の固定部２４は折り返された状態で、折り返し部２４Ｃが一端側に位置した状態で凹部本体部３６に配置されている。このような構成により、フレキシブル基板１２の折り返し部２４Ｃを凹部本体部３６の一端側から挿入し、裏打ち材４４の突出部４４Ｂを凹部突出部３８に配置する工程のみで、容易にフレキシブル基板１２を固定することができる。
【００３５】
また、本実施形態では、フレキシブル基板１２には、裏打ち材４４の突出部４４Ｂと同形状の基板突出部２４Ａ１が形成されており、基板突出部２４Ａ１は裏打ち材４４の突出部４４Ｂに重ね合わされている。これにより、裏打ち材４４は、基板材からフレキシブル基板１２を切り出す前に、予め第１の固定部２４Ａを含む領域に樹脂材を接着剤などにより基板材に取り付けておき、基板材とともに樹脂材をフレキシブル基板１２の形状に切断することにより形成することができる。
【００３６】
また、本実施形態のレンズ鏡筒１によれば、修繕の際に、フレキシブル基板１２を傷つけることなく取り外すことができ、新たな部材に交換することなく修繕作業を行うことができる。
【００３７】
なお、本実施形態では、裏打ち材４４を固定部２４の第１の固定部２４Ａに取り付けたが、これに限らず、第２の固定部２４Ｂに取りつけてもよく、両方に取り付けてもよい。
【００３８】
また、本実施形態では、固定部２４が折り返し部２４Ｃにより折り返されて形成された場合について説明したが、固定部２４は必ずしも折り返す必要はなく、例えば、凹部本体部３６を固定筒２の中間部で終端させずに連続させ、フレキシブル基板１２を第１の固定部２４Ａから光軸方向前方に延びるように形成してもよい。
【００３９】
また、本実施形態では、フレキシブル基板１２の第１の固定部２４Ａに基板突出部２４Ａ１が形成されているが、基板突出部２４Ａ１は省略してもよい。図７Ａ及び図７Ｂは、フレキシブル基板の突出部を省略した第２実施形態によるフレキシブル基板の固定部の周囲を示し、図７Ａは斜視図、図７Ｂは分解斜視図である。なお、図中、第１実施形態と同様の構成については、同じ符号を付している。図７Ａ及び図７Ｂに示すように、固定部１２４は、余長部２０から連続する第１の固定部１２４Ａと、連結部２６から連続する第２の固定部１２４Ｂと、第１の固定部１２４Ａと第２の固定部１２４Ｂとの間を結ぶ折り返し部１２４Ｃと、により構成されている。第１の固定部１２４Ａの第２の固定部１２４Ｂと反対側の面には裏打ち材４４が取り付けられている。本実施形態では、フレキシブル基板１２の第１の固定部１２４Ａには、第１実施形態における基板突出部２４Ａ１に相当する構成が設けられておらず、第１の固定部１２４Ａは一定の幅になっている。
【００４０】
第２実施形態における裏打ち材４４は、第１実施形態と同様の構成であり、矩形状の本体部４４Ａと、本体部４４Ａの両側から側方に突出する一対の突出部４４Ｂと、を有する。裏打ち材４４の本体部４４Ａの幅は、第１の固定部１２４Ａの幅と等しい。突出部４４Ｂは矩形状に形成されている。このような構成によっても、第１実施形態と同様に、フレキシブル基板１２の固定部１２４を固定筒２の凹部３４に固定することができる。
【００４１】
なお、上記各実施形態では、固定筒（固定部材）２に対して光軸方向に移動可能な可動部材が、絞り機構８である場合について説明したが、本発明はこれに限られない。例えば、光軸方向に移動可能な可能部材が、手振れ補正機構や絞り機構及び手振れ補正機構の両者を備えた部材であり、可動部材にフレキシブル基板が連結される場合であっても、本発明を適用することができる。
【００４２】
また、本実施形態の固定構造は、レンズ鏡筒においてフレキシブル基板の中間部を固定筒に固定する場合に限らず、移動可能なディスプレイ装置などの可動部材を備えたパチンコ遊技機などにおいて、可動部材に接続されたフレキシブル基板を移動しない固定部材に固定する場合であっても、本発明を適用できる。
【符号の説明】
【００４３】
１        レンズ鏡筒
２        固定筒
４        カム筒
６        摺動筒
８        絞り機構
８Ａ      レンズ
１０      回路基板
１０Ａ    接続端子
１２      フレキシブル基板
１８      第１の接続部
２０      余長部
２４      固定部
２４Ａ    第１の固定部
２４Ａ１  基板突出部
２４Ｂ    第２の固定部
２４Ｃ    折り返し部
２６      連結部
２７      基板本体部
２８      第２の接続部
３０      固定構造
３２      切欠部
３４      凹部
３６      凹部本体部
３８      凹部突出部
４０      隆起部
４２      押え部
４２      押え部材
４４      裏打ち材
４４Ａ    本体部
４４Ｂ    突出部
【図１Ａ】
2020187217.tif 000003
【図１Ｂ】
2020187217.tif 000004
【図２Ａ】
2020187217.tif 000005
【図２Ｂ】
2020187217.tif 000006
【図３Ａ】
2020187217.tif 000007
【図３Ｂ】
2020187217.tif 000008
【図４Ａ】
2020187217.tif 000009
【図４Ｂ】
2020187217.tif 000010
【図５Ａ】
2020187217.tif 000011
【図５Ｂ】
2020187217.tif 000012
【図６Ａ】
2020187217.tif 000013
【図６Ｂ】
2020187217.tif 000014
【図７Ａ】
2020187217.tif 000015
【図７Ｂ】
2020187217.tif 000016